(57)【要約】      （修正有）【課題】安定して信頼性の高いセンサー調整および固定装置を提供する。【解決手段】センサー調整および固定装置は、シートプレート１、サポートプレート２及び取り付けプレート３が左から右に順次分布され、第１支持シートがシートプレートの右側面に固定され、第２支持シートがサポートプレートの左側面に固定され、水平方向軸が第１支持シート及び第２支持シートを貫通し、第１固定部材が水平方向角度調整ボルトと垂直方向角度調整ボルトを含み、水平方向角度調整ボルトの一端はシートプレートにヒンジで接続され、水平方向角度調整ボルトの他端はサポートプレートを貫通し、第３支持シートがサポートプレートの右側面に固定され、第４支持シートが取り付けプレートの左側面に固定され、垂直方向軸が第３支持シート及び第４支持シートを貫通し、垂直方向角度調整ボルトの一端はサポートプレートにヒンジで接続され、垂直方向角度調整ボルトの他端は取り付けプレートを貫通する。取り付けプレートにセンサーが固定される。【選択図】図１
0003230591.tif 000002
【実用新案登録請求の範囲】
【請求項１】
センサー調整および固定装置であって、シートプレート（１）、サポートプレート（２）及び取り付けプレート（３）を備え、
シートプレート（１）、サポートプレート（２）及び取り付けプレート（３）は左から右に順次に分布（するように配置）され、シートプレート（１）とサポートプレート（２）とは第１可動接続部材及び第１固定部材（４）によって接続され、サポートプレート（２）と取り付けプレート（３）とは第２可動接続部材及び第２固定部材（５）によって接続され、
前記第１可動接続部材は第１支持シート（７）、第２支持シート（８）及び水平方向軸（９）を含み、第１支持シート（７）はシートプレート（１）の右側面に固定され、第２支持シート（８）はサポートプレート（２）の左側面に固定され、水平方向軸（９）は第１支持シート（７）及び第２支持シート（８）を貫通し、前記第１固定部材（４）は水平方向角度調整ボルト（４０１）を含み、水平方向角度調整ボルト（４０１）の一端はシートプレート（１）にヒンジで接続され、水平方向角度調整ボルト（４０１）の他端はサポートプレート（２）を貫通し、且つ水平方向角度調整ボルト（４０１）に２つの水平方向角度調整ナット（４０２）が被装され、サポートプレート（２）は２つの水平方向角度調整ナット（４０２）の間に位置し、
前記第２可動接続部材は第３支持シート（１１）、第４支持シート（１２）及び垂直方向軸（１３）を含み、第３支持シート（１１）はサポートプレート（２）の右側面に固定され、第４支持シート（１２）は取り付けプレート（３）の左側面に固定され、垂直方向軸（１３）は第３支持シート（１１）及び第４支持シート（１２）を貫通し、前記第１固定部材（４）は垂直方向角度調整ボルト（５０１）を含み、垂直方向角度調整ボルト（５０１）の一端はサポートプレート（２）にヒンジで接続され、垂直方向角度調整ボルト（５０１）の他端は取り付けプレート（３）を貫通し、垂直方向角度調整ボルト（５０１）に２つの垂直方向角度調整ナット（５０２）が被装され、取り付けプレート（３）は２つの垂直方向角度調整ナット（５０２）の間に位置し、取り付けプレート（３）にセンサーを取り付けるための取付穴（３０２）が開けられることを特徴とするセンサー調整および固定装置。
【請求項２】
サポートプレート（２）の左側面に第１Ｕ字型穴（２０１）が設けられ、水平方向角度調整ボルト（４０１）は前記第１Ｕ字型穴（２０１）の底部を貫通することを特徴とする請求項１に記載のセンサー調整および固定装置。
【請求項３】
取り付けプレート（３）の左側面に第２Ｕ字型穴（３０１）が開けられ、垂直方向角度調整ボルト（５０１）は前記第２Ｕ字型穴（３０１）の底部を貫通することを特徴とする請求項２に記載のセンサー調整および固定装置。
【請求項４】
水平方向角度調整ボルト（４０１）及び垂直方向角度調整ボルト（５０１）の両方はボールヘッドボルト構造であることを特徴とする請求項１に記載のセンサー調整および固定装置。
【請求項５】
水平方向軸固定ピン（１０）及び垂直方向軸固定ピン（１４）をさらに備え、水平方向軸固定ピン（１０）は第２支持シート（８）の側壁を貫通し、水平方向軸（９）内に挿入され、水平方向軸（９）と第２支持シート（８）を接続し、垂直方向軸固定ピン（１４）は第４支持シート（１２）の側壁を貫通し、垂直方向軸（１３）内に挿入され、第４支持シート（１２）と垂直方向軸（１３）を接続することを特徴とする請求項１に記載のセンサー調整および固定装置。
【請求項６】
第１可動接続部材の数は２つであり、且つ２つの第１可動接続部材は前から後に分布され、第２可動接続部材の数は２つであり、且つ２つの第２可動接続部材は上から下に分布されることを特徴とする請求項１に記載のセンサー調整および固定装置。
【請求項７】
シートプレート（１）の左側面に補強リブ板（６）が設けられることを特徴とする請求項１に記載のセンサー調整および固定装置。
【考案の詳細な説明】
【技術分野】
【０００１】
本考案は固定装置に関し、具体的にはセンサー調整および固定装置に関する。
【背景技術】
【０００２】
既存の水路には船の「スーパードラフト」という深刻な現象があり、「スーパードラフト」の船は船のロックや船のリフトなどのナビゲーション施設を通過する時に安全上の問題が発生する可能性がある。船側がドラフトを誤って報告することを防ぐために、現在、主にナビゲーション施設の南側と北側にそれぞれ船のドラフトの受信と送信を検出するセンサーセットを取り付けて配置しており、受信および送信センサーセットの取付相対位置の角度偏差は、その検出性能に大きな影響を与え、且つナビゲーション施設の南側と北側はスパンが大きく、屋外の作業条件が悪いため、センサーを固定して取り付ける方法は取付精度を確保できない。このため、水平方向と垂直方向における軸線方向の角度を調整でき、ドラフト検出センサーの取付精度が標準に達していないため調整できない状況を回避し、且つ装置の操作が簡単であり、安定して信頼性が高いセンサー調整および固定の装置を設計する必要がある。
【考案の概要】
【考案が解決しようとする課題】
【０００３】
本考案は、上記の従来の技術の欠点を克服するために、軸方向と垂直方向における軸線方向の角度を調整でき、且つ安定して信頼性Ｇが高いセンサー調整および固定装置を提供することを目的とする。
【課題を解決するための手段】
【０００４】
上記の目的を達成するために、本考案によるセンサー調整および固定装置は、シートプレート、サポートプレート及び取り付けプレートを備え、
シートプレート、サポートプレート及び取り付けプレートは左から右に順次分布され、シートプレートとサポートプレートとは第１可動接続部材及び第１固定部材によって接続され、サポートプレートと取り付けプレートとは第２可動接続部材及び第２固定部材によって接続され、
前記第１可動接続部材は第１支持シート、第２支持シート及び水平方向軸を含み、第１支持シートはシートプレートの右側面に固定され、第２支持シートはサポートプレートの左側面に固定され、水平方向軸は第１支持シート及び第２支持シートを貫通し、前記第１固定部材は水平方向角度調整ボルトを含み、水平方向角度調整ボルトの一端はシートプレートにヒンジで接続され、水平方向角度調整ボルトの他端はサポートプレートを貫通し、且つ水平方向角度調整ボルトに２つの水平方向角度調整ナットが被装され、サポートプレートが２つの水平方向角度調整ナットの間に位置し、
前記第２可動接続部材は第３支持シート、第４支持シート及び垂直方向軸を含み、第３支持シートはサポートプレートの右側面に固定され、第４支持シートは取り付けプレートの左側面に固定され、垂直方向軸は第３支持シート及び第４支持シートを貫通し、前記第１固定部材は垂直方向角度調整ボルトを含み、垂直方向角度調整ボルトの一端はサポートプレートにヒンジで接続され、垂直方向角度調整ボルトの他端は取り付けプレートを貫通し、垂直方向角度調整ボルトに２つの垂直方向角度調整ナットが被装され、取り付けプレートは２つの垂直方向角度調整ナットの間に位置し、取り付けプレートにセンサーを取り付けるための取付穴が開けられる。
【０００５】
サポートプレートの左側面に第１Ｕ字型穴が設けられ、水平方向角度調整ボルトは前記第１Ｕ字型穴の底部を貫通する。
【０００６】
取り付けプレートの左側面に第２Ｕ字型穴が開けられ、垂直方向角度調整ボルトは前記第２Ｕ字型穴の底部を貫通する。
【０００７】
水平方向角度調整ボルト及び垂直方向角度調整ボルトの両方はボールヘッドボルト構造である。
【０００８】
水平方向軸固定ピン及び垂直方向軸固定ピンをさらに備え、水平方向軸固定ピンは第２支持シートの側壁を貫通し、水平方向軸内に挿入され、水平方向軸と第２支持シートを接続し、垂直方向軸固定ピンは、第４支持シートの側壁を貫通し、垂直方向軸内に挿入され、第４支持シートと垂直方向軸を接続する。
【０００９】
第１可動接続部材の数は２つであり、且つ２つの第１可動接続部材が前から後に分布され、第２可動接続部材の数は２つであり、且つ２つの第２可動接続部材が上から下に分布される。
【００１０】
シートプレートの左側面に補強リブ板が設けられる。
【考案の効果】
【００１１】
本考案は、以下のような有益な効果を有する。
本考案によるセンサー調整および固定装置は、具体的な操作では、第１支持シートはシートプレートの右側面に固定され、第２支持シートはサポートプレートの左側面に固定され、水平方向軸は第１支持シート及び第２支持シートを貫通し、水平方向角度調整ボルトの一端はシートプレートにヒンジで接続され、水平方向角度調整ボルトの他端はサポートプレートを貫通し、且つ水平方向角度調整ボルトに２つの水平方向角度調整ナットが被装され、サポートプレートは２つの水平方向角度調整ナットの間に位置し、水平方向角度調整ナットを調整することによって、サポートプレートがシートプレートの横軸線を回って回転することができ、第３支持シートはサポートプレートの右側面に固定され、第４支持シートは取り付けプレートの左側面に固定され、垂直方向軸は第３支持シート及び第４支持シートを貫通し、垂直方向角度調整ボルトの一端はサポートプレートにヒンジで接続され、垂直方向角度調整ボルトの他端は取り付けプレートを貫通し、垂直方向角度調整ボルトに２つの垂直方向角度調整ナットが被装され、垂直方向角度調整ナットを調整することによって、取り付けプレートにサポートプレートの縦軸線を回って回転させることができ、センサーの軸方向及び垂直方向における軸線方向の角度調整を実現し、センサーの取付角度偏差を補償し、測定精度を確保し、作業の信頼性を向上させ、調整が完了した後、垂直方向角度調整ナット及び水平方向角度調整ナットを固定すればよく、操作しやすく、構造が簡単であり、安定し且つ信頼性が高い。
【図面の簡単な説明】
【００１２】
【図１】本考案の一実施形態の正面の構造模式図の一例である。
【図２】本考案の一実施形態の正面図の一例である。
【図３】本考案の一実施形態の左面図の一例である。
【図４】図３におけるI部の部分拡大図の一例である。
【図５】本考案の一実施形態の上面図の一例である。
【図６】本考案の一実施形態におけるシートプレート１の模式図の一例である。
【図７】本考案の一実施形態におけるサポートプレート２の模式図の一例である。
【図８】本考案の一実施形態における取り付けプレート３の模式図の一例である。
【考案を実施するための形態】
【００１３】
以下、図面を参照して、本考案をより詳細に説明する。
図１〜図８を参照し、本考案の一実施形態によるセンサー調整および固定装置は、シートプレート１、サポートプレート２及び取り付けプレート３を備え、シートプレート１、サポートプレート２及び取り付けプレート３は左から右に順次に分布され、シートプレート１とサポートプレート２は第１可動接続部材及び第１固定部材４によって接続され、サポートプレート２と取り付けプレート３は第２可動接続部材及び第２固定部材５によって接続され、前記第１可動接続部材は、第１支持シート７、第２支持シート８及び水平方向軸９を含み、第１支持シート７はシートプレート１の右側面に固定され、第２支持シート８はサポートプレート２の左側面に固定され、水平方向軸９は第１支持シート７及び第２支持シート８を貫通し、前記第１固定部材４は水平方向角度調整ボルト４０１を含み、水平方向角度調整ボルト４０１の一端はシートプレート１にヒンジで接続され、水平方向角度調整ボルト４０１の他端はサポートプレート２を貫通し、且つ水平方向角度調整ボルト４０１に２つの水平方向角度調整ナット４０２が被装され、サポートプレート２は２つの水平方向角度調整ナット４０２の間に位置し、前記第２可動接続部材は第３支持シート１１、第４支持シート１２及び垂直方向軸１３を含み、第３支持シート１１はサポートプレート２の右側面に固定され、第４支持シート１２は取り付けプレート３の左側面に固定され、垂直方向軸１３は第３支持シート１１及び第４支持シート１２を貫通し、前記第１固定部材４は垂直方向角度調整ボルト５０１を含み、垂直方向角度調整ボルト５０１の一端はサポートプレート２にヒンジで接続され、垂直方向角度調整ボルト５０１の他端は取り付けプレート３を貫通し、垂直方向角度調整ボルト５０１に２つの垂直方向角度調整ナット５０２が被装され、取り付けプレート３は２つの垂直方向角度調整ナット５０２の間に位置し、取り付けプレート３にセンサーを取り付けるための取付穴３０２が開けられる。
【００１４】
サポートプレート２の左側面に第１Ｕ字型穴２０１が設けられ、水平方向角度調整ボルト４０１は前記第１Ｕ字型穴２０１の底部を貫通し、取り付けプレート３の左側面に第２Ｕ字型穴３０１が開けられ、垂直方向角度調整ボルト５０１は前記第２Ｕ字型穴３０１の底部を貫通する。
【００１５】
本考案は、水平方向軸固定ピン１０及び垂直方向軸固定ピン１４をさらに備え、水平方向軸固定ピン１０は第２支持シート８の側壁を貫通して、水平方向軸９内に挿入され、水平方向軸９と第２支持シート８を接続し、垂直方向軸固定ピン１４は第４支持シート１２の側壁を貫通し、垂直方向軸１３内に挿入され、第４支持シート１２と垂直方向軸１３を接続する。
【００１６】
第１可動接続部材の数は２つであり、且つ２つの第１可動接続部材は前から後に分布され、第２可動接続部材の数は２つであり、且つ２つの第２可動接続部材は上から下に分布され、シートプレート１の左側面に補強リブ板６が設けられ、水平方向角度調整ボルト４０１及び垂直方向角度調整ボルト５０１の両方はボールヘッドボルト構造である。
【００１７】
センサーは取り付けプレート３上の取付穴３０２に固定して取り付けられ、垂直方向角度調整ナット５０２の位置を調整することによって、取り付けプレート３をサポートプレート２の縦軸線の周りに最大回転角度±８°で調整及び位置決めさせることができ、水平方向角度調整ナット４０２の位置を調整することによって、サポートプレート２をシートプレート１の横軸線の周りに最大回転角度±８°で調整及び位置決めさせることができ、調整は便利且つ迅速であり、操作は簡単で信頼でき、構造の安定性は高い。
【符号の説明】
【００１８】
１  シートプレート、２  サポートプレート、２０１  第１Ｕ字型穴、３  取り付けプレート、３０１  第２Ｕ字型穴、３０２  取付穴、４  第１固定部材、４０１  水平方向角度調整ボルト、４０２  水平方向角度調整ナット、５  第２固定部材、５０１  垂直方向角度調整ボルト、５０２  垂直方向角度調整ナット、６  補強リブ板、７  第１支持シート、８  第２支持シート、９  水平方向軸、１０  水平方向軸固定ピン、１１  第３支持シート、１２  第４支持シート、１３  垂直方向軸、１４  垂直方向軸固定ピン
【図１】
0003230591.tif 000003
【図２】
0003230591.tif 000004
【図３】
0003230591.tif 000005
【図４】
0003230591.tif 000006
【図５】
0003230591.tif 000007
【図６】
0003230591.tif 000008
【図７】
0003230591.tif 000009
【図８】
0003230591.tif 000010